(57)【要約】【課題】多くの機能を選択的に設定可能なガスメータにおいて、既設の所定数の操作手段を用いてパターン表示させ、該パターン表示に従って当該機能の設定変更を行えるようにする。【解決手段】ガスメータ１は、ガス供給に関する各種機能の設定データを格納する設定値格納手段１７、格納した各種機能の設定データを変更する設定変更手段１６、各種データを表示する表示部１３とを備える。設定変更手段１６は、テストのためにガスメータ１の遮断弁を閉じた状態などに、ガスメータ１が備える所定数の操作手段（テスト遮断スイッチ１０ｄ，容器リセットスイッチ１０ｅ，遮断弁開スイッチ１４ｂ）に対する所定の操作（例えば、スイッチの押下回数や押下時間など）に従って、当該機能を設定変更するための複数種の設定パターンを表示部１３に切り替え表示させ、その中から選択された設定パターンに基づいて設定値格納手段１７の設定データを変更する。【選択図】図２
2006017513.tif 000002
【特許請求の範囲】
【請求項１】
ガス供給に関する各種機能の設定データを格納する設定値格納手段と、該格納した各種機能の設定データを変更する設定変更手段と、各種データを表示する表示手段とを備えたガスメータにおいて、前記設定変更手段は、前記ガスメータが備える所定数の操作手段に対する所定の操作に従って、当該機能を設定変更するための複数種の設定パターンを前記表示手段に切り替え表示させ、その中から選択された設定パターンに基づいて前記設定値格納手段の設定データを変更することを特徴とするガスメータ。
【請求項２】
請求項１に記載のガスメータにおいて、前記表示手段は、前記複数種の設定パターンをブロック毎に表示可能とし、前記設定変更手段は、前記所定数の操作手段に対する所定の操作に従って、前記表示手段に表示させるブロックを選択し、該選択したブロックに含まれる複数種の設定パターンを切り替え表示させ、その中から選択された設定パターンに基づいて前記設定値格納手段の設定データを変更することを特徴とするガスメータ。
【請求項３】
請求項２に記載のガスメータにおいて、前記設定変更手段は、前記所定数の操作手段のいずれかを連続して操作することで、前記ブロックに含まれる複数種の設定パターンを自動的に切り替え表示させることを特徴とするガスメータ。
【請求項４】
請求項１又は２に記載のガスメータにおいて、前記表示手段は、所定の機能に設定可能な数値データを表示可能とし、前記設定変更手段は、前記複数種の設定パターンから選択された設定パターンに含まれる機能に変更可能な数値データが設定されている場合、前記所定数の操作手段に対する所定の操作に従って、前記機能に設定可能な数値データを前記表示手段に切り替え表示させ、その中から選択された数値データに基づいて前記設定値格納手段の設定データを変更することを特徴とするガスメータ。
【請求項５】
請求項４に記載のガスメータにおいて、前記設定変更手段は、前記設定パターンをブロック毎に表示した状態、あるいは、前記設定可能な数値データを表示した状態で、前記所定数の操作手段のいずれかに対して所定の操作がなされると、選択確定と判断し、該選択確定した設定パターン及び／又は数値データに基づいて前記設定値格納手段の設定データを変更することを特徴とするガスメータ。
【請求項６】
請求項４に記載のガスメータにおいて、前記設定変更手段は、前記設定パターンをブロック毎に表示した状態、あるいは、前記設定可能な数値データを表示した状態で、前記所定数の操作手段のいずれかに対して所定時間操作がなされないと、選択確定と判断し、該選択確定した設定パターン及び／又は数値データに基づいて前記設定値格納手段の設定データを変更することを特徴とするガスメータ。
【請求項７】
請求項１乃至６のいずれか１に記載のガスメータにおいて、前記所定数の操作手段は、前記ガスメータが備える既設の遮断弁開スイッチ，容器リセットスイッチ，テスト遮断スイッチであって、前記設定変更手段は、前記テスト遮断スイッチにより前記ガスメータの遮断弁が閉じた状態、あるいは、前記遮断弁開スイッチにより前記遮断弁が開いた状態にあるときに、前記遮断弁開スイッチ，容器リセットスイッチ，テスト遮断スイッチを用いて当該機能の設定変更を行うことを特徴とするガスメータ。
【発明の詳細な説明】
【技術分野】
【０００１】
本発明は、ガスメータ、より詳細には、既設の操作手段を用いてガスメータが備える各種機能を選択、設定して使用できるようにしたガスメータに関する。
【背景技術】
【０００２】
一般に、マイコンガスメータと言われるガスメータは、ガスの供給に係る各種機能を実現するための所定のプログラムに従って動作するマイクロコンピュータ（以下、マイコンという）を内蔵している。この各種機能には、例えば、保安上重要な機能の他に、消費者の利便性のための機能や、ガス業者にとって作業効率の向上を図るための機能などが含まれ、ユーザが使用するガス機器などの使用環境に合わせて、適宜必要な機能が選択され設定される。このときの設定データは、マイコン内のメモリに記憶され、この設定に従ってガスメータが備える各種機能が実行されることになる。
【０００３】
従来、上記設定データを変更する場合には、ガスメータが備える端子台の通信端子に設定器を装着することで行っていた。この設定器によって、ガスメータが備えるほとんどの機能について設定することができるが、一方で、設定変更を行う場合、その都度、ガスメータに設定器を装着して設定作業を行う必要があり、作業効率が悪いという問題があった。
【０００４】
上記問題に対して、例えば、特許文献１では、予め用意されて内蔵された各種機能の中から、初期設定で選択された標準的機能について、簡単な作業によって、必要最小限の変更作業を行えるようにしたガスメータが開示されている。これは、操作されるべき状態でない時の既設の操作スイッチ（弁開操作スイッチ）の所定の操作によって、標準的機能の表示、選択、確定を行うことにより、当該機能の設定変更を行うようにしたものである。
【特許文献１】特許第３２５７５４１号公報
【発明の開示】
【発明が解決しようとする課題】
【０００５】
しかしながら、上記特許文献１に記載の発明は、ガスメータが備える選択可能な機能が多岐に渡る場合、１つの操作スイッチで選択確定までの一連の操作を行うために、操作しにくく、多くの時間を必要とするという問題があった。
【０００６】
本発明は、上述のごとき実情に鑑みてなされたものであり、多くの機能を選択的に設定可能なガスメータにおいて、既設の所定数の操作手段を用いてパターン表示させ、該パターン表示に従って当該機能の設定変更を行えるようにすること、を目的としてなされたものである。
【課題を解決するための手段】
【０００７】
本発明は、上述のごとき課題を解決するために、以下の各技術手段により構成される。
第１の技術手段は、ガス供給に関する各種機能の設定データを格納する設定値格納手段と、該格納した各種機能の設定データを変更する設定変更手段と、各種データを表示する表示手段とを備えたガスメータにおいて、前記設定変更手段は、前記ガスメータが備える所定数の操作手段に対する所定の操作に従って、当該機能を設定変更するための複数種の設定パターンを前記表示手段に切り替え表示させ、その中から選択された設定パターンに基づいて前記設定値格納手段の設定データを変更することを特徴としたものである。
【０００８】
第２の技術手段は、第１の技術手段において、前記表示手段は、前記複数種の設定パターンをブロック毎に表示可能とし、前記設定変更手段は、前記所定数の操作手段に対する所定の操作に従って、前記表示手段に表示させるブロックを選択し、該選択したブロックに含まれる複数種の設定パターンを切り替え表示させ、その中から選択された設定パターンに基づいて前記設定値格納手段の設定データを変更することを特徴としたものである。
【０００９】
第３の技術手段は、第２の技術手段において、前記設定変更手段は、前記所定数の操作手段のいずれかを連続して操作することで、前記ブロックに含まれる複数種の設定パターンを自動的に切り替え表示させることを特徴としたものである。
【００１０】
第４の技術手段は、第１又は第２の技術手段において、前記表示手段は、所定の機能に設定可能な数値データを表示可能とし、前記設定変更手段は、前記複数種の設定パターンから選択された設定パターンに含まれる機能に変更可能な数値データが設定されている場合、前記所定数の操作手段に対する所定の操作に従って、前記機能に設定可能な数値データを前記表示手段に切り替え表示させ、その中から選択された数値データに基づいて前記設定値格納手段の設定データを変更することを特徴としたものである。
【００１１】
第５の技術手段は、第４の技術手段において、前記設定変更手段は、前記設定パターンをブロック毎に表示した状態、あるいは、前記設定可能な数値データを表示した状態で、前記所定数の操作手段のいずれかに対して所定の操作がなされると、選択確定と判断し、該選択確定した設定パターン及び／又は数値データに基づいて前記設定値格納手段の設定データを変更することを特徴としたものである。
【００１２】
第６の技術手段は、第４の技術手段において、前記設定変更手段は、前記設定パターンをブロック毎に表示した状態、あるいは、前記設定可能な数値データを表示した状態で、前記所定数の操作手段のいずれかに対して所定時間操作がなされないと、選択確定と判断し、該選択確定した設定パターン及び／又は数値データに基づいて前記設定値格納手段の設定データを変更することを特徴としたものである。
【００１３】
第７の技術手段は、第１乃至第６のいずれか１の技術手段において、前記所定数の操作手段は、前記ガスメータが備える既設の遮断弁開スイッチ，容器リセットスイッチ，テスト遮断スイッチであって、前記設定変更手段は、前記テスト遮断スイッチにより前記ガスメータの遮断弁が閉じた状態、あるいは、前記遮断弁開スイッチにより前記遮断弁が開いた状態にあるときに、前記遮断弁開スイッチ，容器リセットスイッチ，テスト遮断スイッチを用いて当該機能の設定変更を行うことを特徴としたものである。
【発明の効果】
【００１４】
多くの機能を選択的に設定可能なガスメータにおいて、既設の所定数の操作手段を用いてパターン表示させ、該パターン表示に従って当該機能の設定変更を行うことができるため、ガス事業者等は簡単且つ短時間で作業を行うことができ、作業効率の向上を図ることができる。
また、設定器を用いることなく複雑な設定変更を行うことができるため、ガス事業者等の利便性の向上を図ることができる。
【発明を実施するための最良の形態】
【００１５】
図１は、本発明の一実施形態に係るガスメータの一構成例を示す図で、一般的なマイコンメータの一構成例を示す図でもある。図１において、１はガスメータ、２は外部装置、１０は制御部、１１は計量部、１２はセンサ部、１３は表示部、１４は遮断部、１５は端子台、２１は宅内操作器、２２は網制御装置（以下、ＮＣＵという）、２３はガス洩れ警報器、２４は外部１機器（外部端子１の機器）、２５は外部２機器（外部端子２の機器）であり、１０ａはマイクロコンピュータ（以下、マイコンという）、１０ｂはインタフェース、１０ｃは電池、１０ｄはテスト遮断スイッチ、１０ｅは容器リセットスイッチ、１１ａは計量機能、１２ａは電圧検出センサ、１２ｂは流量センサ、１２ｃは圧力センサ、１２ｄは感震器、１３ａは積算表示機能、１３ｂはセキュリティ表示機能、１３ｃはブロック選択表示機能、１３ｄはサブカウンタ表示機能、１４ａは双方向遮断弁、１４ｂは遮断弁開スイッチである。
【００１６】
ガスメータ１は、ガスメータ１における各種制御を行う制御部１０、ガス流量を計量すする計量部１１、センサ部１２、表示部１３、及び遮断部１４を備え、さらに、外部装置２との接続を行う端子台１５を備える。
【００１７】
計量部１１は、ガス流量に応じた回転体の回転数又は流体振動を出力する計量機能１１ａからなる。また、センサ部１２は、ガス流量やセキュリティに関係する物理量を検出するセンサ類からなり、電池１０ｃの電圧を検出する電圧検出センサ１２ａ、計量機能１１ａの出力を検出する流量センサ１２ｂ、ガス圧力低下などガス圧力を検知する圧力センサ１２ｃ、地震波等の振動を検知する感震器１２ｄ等から構成されている。なお、流量センサ１２ｂは、流量を検出するためのセンサで、勿論、流速センサであってマイコン１０ａにて流量を演算するものであってもよいし、流量演算器（流量変換器）を介してマイコン１０ａに流量を送信するものであってもよい。
【００１８】
また、制御部１０は、主として、取り込まれたセンサの信号を演算処理して処理データを収納し、表示部１３に出力したり端子台１５を介して外部に出力するもので、マイコン１０ａ、インタフェース１０ｂ、電源となる電池１０ｃ、双方向遮断弁１４ａが正常に機能するかをテストするためのテスト遮断スイッチ１０ｄ、容器リセットスイッチ１０ｅ等から構成されている。なお、電池１２は少なくとも制御部１０の電源となるものである。また、マイコン１０ａは、流量センサ１２ｂへ命令し流量センサ１２ｂからの流量検出信号に基づいて流量を計測して積算する処理を行う電子制御装置であり、演算処理をするＭＰＵと、それら各手段としてＭＰＵを機能させるためのプログラムを記録し処理データを記録するメモリとで構成される。
【００１９】
また、表示部１３は、制御部１０により処理されたデータを所定のプログラムまたは外部からの指令に従って表示するＬＣＤ（液晶表示器）等の表示装置であり、ガス流量の積算表示機能１３ａ，セキュリティ表示機能１３ｂ，ブロック選択表示機能１３ｃ，サブカウンタ表示機能１３ｄをもっている。また、遮断部１４は、センサ部１２の信号による異常等が生じたとき、制御部１０のマイコン１０ａからの命令により制御弁を遮断するもので、制御弁としての双方向遮断弁１４ａ，遮断弁開スイッチ１４ｂ等とから構成されている。
【００２０】
一方、外部装置２は、端子台１５を介してガスメータ１の外部に接続される機器類であり、例えば、宅内でガスメータ１の操作を行う宅内操作器２１、ガスメータ１との間で発呼，選択信号の送出，切断など電話交換網を制御するＮＣＵ２２、ガスメータ１におけるガス洩れを警報するガス洩れ警報器２３、及びハンディターミナルやＰＣ（パーソナルコンピュータ）等、その他の外部機器（ここでは外部１機器２４及び外部２機器２５）が設けられている。ＮＣＵ２２は、ガスメータ１の通信機能（自動通報，遠隔遮断，自動検針など）を行うためガス検針センタなどとガスメータ１を電話回線で接続する機器であり、電話機とガスメータ１を自動的に切り替えてガスメータ１のデータの送受信を行う。ハンディターミナルやＰＣは、検針器や設定器として用いられるものである。設定器は、設置されているガスメータの設定変更や確認などを行う。設定，確認が行われる項目には、継続使用時間設定、口火登録などあるが、ガス事業者の運用形態によりその仕様は決定される。
【００２１】
以上のように構成されたガスメータ１が、ガスラインに設置され、遮断弁開スイッチ１４ｂがＯＮ（閉路）されると、自己保持により弁開を継続し、ガス流量計測が開始される。内蔵された圧力センサ１２ｃにより検知された圧力データは、制御部１０に取り込まれて演算処理され、定められたプログラムに従って上述した圧力センサ１２ｃに与えられたセキュリティ機能を判断して計測を継続するか、遮断弁を閉止し、警報を発するか等が指令される。現在のガス圧力を計測する場合は、遮断弁開スイッチ１４ｂを押すことにより、所定時間、例えば１０秒間現在のガス圧を表示部１３に表示することができる。
【００２２】
図２は、本発明の一実施形態に係るガスメータにおける設定変更手段を説明するためのブロック図で、ガスメータ１は、既設の操作手段として、遮断弁開スイッチ１４ｂ，容器リセットスイッチ１０ｅ，テスト遮断スイッチ１０ｄの３つの操作スイッチと、さらに、表示部１３、設定変更手段１６、設定値格納手段１７を備えている。この設定値格納手段１７は、ガス供給に関する各種機能の設定データを格納するためのもので、マイコン１０ａ内のメモリなどにより実現される。また、設定変更手段１６は、前述の設定器と同様に、既設の操作手段である遮断弁開スイッチ１４ｂ，容器リセットスイッチ１０ｅ，テスト遮断スイッチ１０ｄを用いて、表示部１３にパターン表示させ、そのパターン表示に従って設定値格納手段１７に格納された各種機能の設定データを変更する。この設定変更手段１６については後述の図６及び図７において詳細に説明する。
【００２３】
図３は、表示部１３のブロック選択表示機能１３ｃによりブロック表示可能な設定項目の一例を示す図である。表示部１３は、１つの機能群を１つのブロックとして、ブロック毎に機能群を明示することができる。すなわち、図中、マーク１８に対応する機能が設定変更可能であることを示し、このマークの表示有無によって設定変更する機能を選択することができる。本例では、ブロック１設定とブロック２設定に分けられており、ブロック１設定には、例えば、「圧力式微少漏洩警告機能停止」、「圧力異常警告機能停止」、「口火登録」などからなる機能群が含まれ、ブロック２設定には、例えば、「区分５、６の２０分固定」、「未接続検知機能停止」、「拡張１」、「拡張２」、「区分２固定」、「継続使用時間遮断値固定テーブル設定」などからなる機能群が含まれている。
【００２４】
ここで、上記ブロック１設定及びブロック２設定に含まれる機能群の概要について説明する。一般に、ガスメータは、日本ガスメーター工業会において統一規格が定められており、液化石油ガス用マイコン型流量検知式自動ガス遮断装置（II型），液化石油ガス用マイコン型流量検知式自動ガス遮断装置（Ｌ型），液化石油ガス用マイコン型流量検知式自動ガス遮断装置（Ｃ型），液化石油ガス用マイコン型流量検知式自動ガス遮断装置（Ｂ型），液化石油ガス用マイコン型流量検知式自動ガス遮断装置（Ｓ型），液化石油ガス用マイコン型流量検知式自動ガス遮断装置（ＳＢ型）などの保安ガスメータに分類され、本発明のガスメータ１は、上記Ｓ型に属するものとして以下に説明する。
【００２５】
まず、ブロック１設定において、「圧力式微少漏洩警告機能停止」とは、ガス未使用中、一定時間（１５分など）毎に供給管内の圧力を計測し、ガス使用停止直後の圧力と一定時間毎に計測した圧力差が所定値以上の上昇を所定日数（３０日間など）連続して観測されなかった場合、漏洩警告を発する機能を停止する機能である。また、「圧力異常警告機能停止」は、ガス使用中のガスメータ１の圧力を計測し、その値が適正値（例えば２.３kPa〜３.３kPa）から逸脱することが度々発生した場合、警告を発する機能を停止する機能である。また、「口火登録」は、ガス消費設備の口火を連続使用する消費者宅の口火をマイコンに登録し、流量式微少漏洩警告と区別して、微少漏洩の場合だけ漏洩警告の表示を行う機能である。
【００２６】
また、ブロック２設定において、「区分５、６の２０分固定」は、不完全燃焼防止機能がついていない４号、５号タイプの開放型瞬間湯沸器の不完全燃焼により発生する一酸化炭素（ＣＯ）によるガス事故防止のため、使用時間監視区分５，６の制限時間（ここでは２０分）を固定する機能である。尚、上記区分とは、流量監視区分のことで、ガスメータの規格毎に定められている。「未接続検知機能停止」は、屋内にガス器具がなくガス漏れ警報器の設置対象外のガス供給施設等にガスメータ１を設置する場合に未接続検知機能を停止させる機能である。「拡張１」は、太陽熱給湯システム利用施設では、器具の使用変化に自動設定機能が追随できず、意に反して遮断になることが予想され、それを防止する目的で、合計・増加流量遮断の下限値を上げるための機能である。「拡張２」は、リゾート施設などの２.５ｍ3／ｈ以下の業務用施設の特殊使用形態に対応するため、継続使用時間遮断機能を解除させる機能であり、全区分無制限となる。
【００２７】
また、「区分２固定」とは、Ｓ型のマイコンメータの区分２はII型のマイコンメータの区分２の制限時間よりも長く、このII型の設定値である１６０分以下に固定する機能と、鍋の焦げ付き防止策として、とろ火遮断機能も選択できるように付加されている。「継続使用時間遮断値固定テーブル設定」は、ガス器具の使用状態が、普通ではありえないような使用状態であるとガスメータ１が判断した時、ガス器具の消し忘れ又は、器具栓の不完全閉止等によるガス漏れと判断して遮断弁を駆動しガス通路を遮断し、遮断理由の表示を行うと共に、通信端子に信号を出力するための固定の遮断値をテーブルに設定する機能である。
【００２８】
図４は、図３に示したブロック１設定に含まれる機能群とその設定パターンとの関係を示す図で、図５は、図３に示したブロック２設定に含まれる機能群とその設定パターンとの関係を示す図である。
【００２９】
図４（Ａ）において、ブロック１設定に含まれる機能群、すなわち、「圧力式微少漏洩警告機能停止」、「圧力異常警告機能停止」、「口火登録」からなる機能群には、設定パターン０〜設定パターン７の８個のパターンが設定されており、各設定パターンにおいて、「○」が機能設定有り、「−」が機能設定無しを意味する。図４（Ｂ）は、表示部１３のブロック選択表示機能１３ｃによる表示形態を示し、図４（Ａ）に示す設定パターン０〜設定パターン７に対応して、マーク１８が付与されている。このマーク１８の位置は、図３に示したブロック１設定の設定項目の並び順に合致しており、例えば、設定パターン６には、「口火登録」、「圧力異常警告機能停止」が設定されているため、該当する２ヶ所にマーク１８が付与されている。
【００３０】
同様に、図５（Ａ）において、ブロック２設定に含まれる機能群、すなわち、「区分５、６の２０分固定」、「未接続検知機能停止」、「拡張１」、「拡張２」、「区分２固定」、「継続使用時間遮断値固定テーブル設定」からなる機能群には、設定パターン０〜設定パターン１１の１２個のパターンが設定されており、各設定パターンにおいて、「○」が機能設定有り、「−」が機能設定無しを意味する。図５（Ｂ）は、表示部１３のブロック選択表示機能１３ｃによる表示形態を示し、図５（Ａ）に示す設定パターン０〜設定パターン１１に対応して、マーク１８が付与されている。このマーク１８の位置は、図３に示したブロック２設定の設定項目の並び順に合致しており、例えば、設定パターン７には、「拡張１」、「未接続検知機能停止」が設定されているため、該当する２ヶ所にマーク１８が付与されている。
【００３１】
図６は、ガスメータ１が備える既設の操作スイッチを利用した各種機能の設定変更処理の流れを説明するための図である。ガスメータ１が備える設定変更手段１６は、テスト遮断スイッチ１０ｄによるテスト遮断状態や、遮断弁開スイッチ１４ｂにより遮断弁が開いている状態などに、ガスメータ１が備える操作スイッチ（テスト遮断スイッチ１０ｄ，容器リセットスイッチ１０ｅ，遮断弁開スイッチ１４ｂ）に対する所定の操作（例えば、スイッチの押下回数や押下時間など）に従って、当該機能を設定変更するための複数種の設定パターンを表示部１３に切り替え表示させ、その中から選択された設定パターンに基づいて設定値格納手段１７の設定データを変更する。以下にその具体的な処理の流れについて説明する。尚、以下の説明では、複数種の設定パターンを２つのブロックに分けて表示しているが、これに限らず、ブロックに分けない表示形態としてもよく、あるいは３つ以上のブロックに分ける表示形態としてもよい。
【００３２】
図６において、まず、ガスメータ１のテスト遮断状態において、テスト遮断スイッチ１０ｄが、連続で押下されることで入力確定させ（Ｓ１）、テスト遮断を発生させると、表示部１３が「ブロック１設定モード」の表示に移行する。この場合、図３に示したブロック１設定に該当する箇所が枠で囲われて表示される。この「ブロック１設定モード」中に容器リセットスイッチ１０ｅが、例えば２秒以上連続で押下されることで入力確定すると（Ｓ２）、図４（Ｂ）に示した設定パターン０から設定パターン７（計８パターン）が、例えば１秒毎に順次切り替え表示される。
【００３３】
また、「ブロック１設定モード」中にテスト遮断スイッチ１０ｄを入力確定させると（Ｓ３，Ｓ４）、「ブロック２設定モード」の表示に移行する。この場合、図３に示したブロック２設定に該当する箇所が枠で囲われて表示される。このとき、同時に、「ブロック１設定モード」の設定値が保存される。この「ブロック２設定モード」中に容器リセットスイッチ１０ｅが、例えば２秒以上連続で押下されることで入力確定すると（Ｓ５）、図５（Ｂ）に示した設定パターン０から設定パターン１１（計１２パターン）が、例えば１秒毎に順次切り替え表示される。このとき、「ブロック２設定モード」中にテスト遮断スイッチ１０ｄを入力確定させると（Ｓ６，Ｓ７）、「ブロック１設定モード」の表示に移行する。同時に、「ブロック２設定モード」の設定値が保存される。但し、ブロック２設定の設定パターン１，３，６、すなわち、「区分２固定」機能を含むパターンの設定時は、「区分２時間選択」の表示に移行する（Ｓ８）。この（Ｓ８）以降を、「ブロック２時間設定モード」という。
【００３４】
この「ブロック２時間設定モード（区分２時間選択）」中に容器リセットスイッチ１０ｅが連続で押下されることで入力確定すると（Ｓ９）、「区分２固定」機能に設定可能な時間データ（例えば、１６０分、３０分など）が、サブカウンタ表示機能１３ｄにより表示部１３の所定位置に順次切り替え表示される。「ブロック２時間設定モード（区分２時間選択）」中にテスト遮断スイッチ１０ｄを入力確定させると、「ブロック１設定モード」の表示に移行する。同時に、「ブロック２時間設定モード（区分２時間選択）」の設定値が保存される。
【００３５】
ここで、上記「ブロック１設定モード」、「ブロック２設定モード」、及び「ブロック２時間設定モード（区分２時間選択）」の各表示状態で、所定時間（例えば３０秒間）操作しないと出荷モード移行状態に移行する。同時に、各モードにおける設定値が保存される。この出荷モードとは、自動設定機能等のメータ出荷時の各種機能の選択、設定を行い、ガスメータ１の電池消費量を最小限にするモードをいう。また、上記「ブロック１設定モード」、「ブロック２設定モード」、及び「ブロック２時間設定モード（区分２時間選択）」の各表示状態で、遮断弁開スイッチ１４ｂを入力確定させると復帰安全確認状態に移行する。同時に、各モードにおける設定値が保存される。この復帰安全確認状態とは、ガス通路を遮断した後、遮断弁を復帰させた場合、遮断弁の下流側にガス漏れがないかどうかをチェックし、ガス漏れがあった場合は再び遮断し遮断理由の表示を行うと共に、通信端子に信号を出力できる状態をいう。これらの設定が保存されるとき、設定条件等により保存できない場合は設定前の内容のまま変化しない。
【００３６】
図７は、本発明が適用されるガスメータ１の各種機能の設定変更処理の一例を説明するためのフロー図である。尚、本例は、図６に示すガスメータ１の表示部１３の画面遷移を参照しながら説明するものとする。まず、ガスメータ１は、テスト遮断スイッチ１０ｄが２回連続して押下されたかどうか判断し（ステップＳ１１）、テスト遮断スイッチ１０ｄの２回連続の押下を検出した場合（ＹＥＳの場合）、「ブロック１設定モード」の表示に移行する（ステップＳ１２）。また、上記ステップＳ１１において、テスト遮断スイッチ１０ｄの２回連続の押下を検出しない場合（ＮＯの場合）、入力待機状態となる。
【００３７】
次に、「ブロック１設定モード」において、ガスメータ１は、いずれかの操作スイッチ（テスト遮断スイッチ１０ｄ，容器リセットスイッチ１０ｅ，遮断弁開スイッチ１４ｂ）が押下されたかどうか判断し（ステップＳ１３）、操作スイッチの押下を検出した場合（ＹＥＳの場合）、押下された操作スイッチが、テスト遮断スイッチ１０ｄ，容器リセットスイッチ１０ｅ，遮断弁開スイッチ１４ｂのいずれであるかを判断する（ステップＳ１４）。また、上記ステップＳ１３において、操作スイッチの押下を検出しない場合（ＮＯの場合）、上記ステップＳ１２に戻り、「ブロック１設定モード」で入力待機状態となる。
【００３８】
次に、上記ステップＳ１４において、押下された操作スイッチが、容器リセットスイッチ１０ｅであると判断した場合（図中、容器の場合）、ブロック１選択に移行し、ブロック１設定に応じた設定パターン０から設定パターン７（計８パターン）が、例えば１秒毎に順次切り替え表示される（ステップＳ１５）。また、押下された操作スイッチが、遮断弁開スイッチ１４ｂであると判断した場合（図中、弁開の場合）、ステップＳ２５に移行して、その時点で選択されている設定パターンを選択確定する（ステップＳ２５）。また、押下された操作スイッチが、テスト遮断スイッチ１０ｄであると判断した場合（図中、テストの場合）、「ブロック２設定モード」の表示に移行する（ステップＳ１６）。
【００３９】
次に、「ブロック２設定モード」において、ガスメータ１は、いずれかの操作スイッチ（テスト遮断スイッチ１０ｄ，容器リセットスイッチ１０ｅ，遮断弁開スイッチ１４ｂ）が押下されたかどうか判断し（ステップＳ１７）、操作スイッチの押下を検出した場合（ＹＥＳの場合）、押下された操作スイッチが、テスト遮断スイッチ１０ｄ，容器リセットスイッチ１０ｅ，遮断弁開スイッチ１４ｂのいずれであるかを判断する（ステップＳ１８）。また、上記ステップＳ１７において、操作スイッチの押下を検出しない場合（ＮＯの場合）、上記ステップＳ１６に戻り、「ブロック２設定モード」で入力待機状態となる。
【００４０】
次に、上記ステップＳ１８において、押下された操作スイッチが、容器リセットスイッチ１０ｅであると判断した場合（図中、容器の場合）、ブロック２選択に移行し、ブロック２設定に応じた設定パターン０から設定パターン１１（計１２パターン）が、例えば１秒毎に順次切り替え表示される（ステップＳ１９）。また、押下された操作スイッチが、遮断弁開スイッチ１４ｂであると判断した場合（図中、弁開の場合）、ステップＳ２５に移行して、その時点で選択されている設定パターンを選択確定する（ステップＳ２５）。また、押下された操作スイッチが、テスト遮断スイッチ１０ｄであると判断した場合（図中、テストの場合）、選択した設定パターンに含まれる機能に時間設定があるかどうか（例えば、区分２固定機能などの場合に時間設定ありと判定）を判断する（ステップＳ２０）。
【００４１】
上記ステップＳ２０において、時間設定がない場合（ＮＯの場合）、上記ステップＳ１２の「ブロック１設定モード」の表示に移行する。また、上記ステップＳ２０において、時間設定がある場合（ＹＥＳの場合）、「ブロック２時間設定モード」の表示に移行する（ステップＳ２１）。
【００４２】
次に、「ブロック２時間設定モード」において、ガスメータ１は、いずれかの操作スイッチ（テスト遮断スイッチ１０ｄ，容器リセットスイッチ１０ｅ，遮断弁開スイッチ１４ｂ）が押下されたかどうか判断し（ステップＳ２２）、操作スイッチの押下を検出した場合（ＹＥＳの場合）、押下された操作スイッチが、テスト遮断スイッチ１０ｄ，容器リセットスイッチ１０ｅ，遮断弁開スイッチ１４ｂのいずれであるかを判断する（ステップＳ２３）。また、上記ステップＳ２２において、操作スイッチの押下を検出しない場合（ＮＯの場合）、上記ステップＳ２１に戻り、「ブロック２時間設定モード」で入力待機状態となる。
【００４３】
次に、上記ステップＳ２３において、押下された操作スイッチが、容器リセットスイッチ１０ｅであると判断した場合（図中、容器の場合）、ブロック２の時間選択に移行し、該当機能に設定可能な時間データ（例えば、１６０分、３０分など）が、サブカウンタ表示機能１３ｄにより表示部１３の所定位置に順次切り替え表示される（ステップＳ２４）。また、押下された操作スイッチが、遮断弁開スイッチ１４ｂであると判断した場合（図中、弁開の場合）、ステップＳ２５に移行して、その時点で選択されている設定パターンを選択確定する（ステップＳ２５）。また、押下された操作スイッチが、テスト遮断スイッチ１０ｄであると判断した場合（図中、テストの場合）、上記ステップＳ１２に戻り、「ブロック１設定モード」で入力待機状態となる。
【００４４】
尚、上記「ブロック１設定モード」、「ブロック２設定モード」、及び「ブロック２時間設定モード」の各表示状態で、所定時間（例えば３０秒間）操作しないと出荷モード移行状態に移行する。同時に、各モードにおける設定値が保存される。また、上記「ブロック１設定モード」、「ブロック２設定モード」、及び「ブロック２時間設定モード」の各表示状態で、遮断弁開スイッチ１４ｂを入力確定させると復帰安全確認状態に移行する。同時に、各モードにおける設定値が保存される。
【００４５】
本発明によれば、既設の操作スイッチに対する所定の操作（例えば、操作スイッチの押下回数や押下時間など）に従って、当該機能を設定変更するための複数種の設定パターンを自動切り替え表示可能としたので、作業者の操作性の向上を図ることができ、また、時間データ等の設定可能な数値をサブカウンタに表示させることにより、作業者の選択負荷を軽減することができる。さらに、設定パターンをブロック毎に区切って表示可能としたので、作業者は選択操作が簡単に行えるようになる。
【００４６】
尚、本発明が上記各実施の形態に限定されず、本発明の技術思想の範囲内において、各実施の形態は適宜変更され得ることは明らかである。また、構成要素となる設定パターンの数、配置、形状等は上記実施の形態に限定されず、本発明を実施する上で好適な数、配置、形状等にすることができる。
【図面の簡単な説明】
【００４７】
【図１】本発明の一実施形態に係るガスメータの一構成例を示す図である。
【図２】本発明の一実施形態に係るガスメータにおける設定変更手段を説明するためのブロック図である。
【図３】表示部のブロック選択表示機能によりブロック表示可能な設定項目の一例を示す図である。
【図４】図３に示したブロック１設定に含まれる機能群とその設定パターンとの関係を示す図である。
【図５】図３に示したブロック２設定に含まれる機能群とその設定パターンとの関係を示す図である。
【図６】ガスメータが備える既設の操作スイッチを利用した各種機能の設定変更処理の流れを説明するための図である。
【図７】本発明が適用されるガスメータの各種機能の設定変更処理の一例を説明するためのフロー図である。
【符号の説明】
【００４８】
１…ガスメータ、２…外部装置、１０…制御部、１０ａ…マイクロコンピュータ（マイコン）、１０ｂ…インタフェース、１０ｃ…電池、１０ｄ…テスト遮断スイッチ、１０ｅ…容器リセットスイッチ、１１…計量部、１１ａ…計量機能、１２…センサ部、１２ａ…電圧検出センサ、１２ｂ…流量センサ、１２ｃ…圧力センサ、１２ｄ…感震器、１３…表示部、１３ａ…積算表示機能、１３ｂ…セキュリティ表示機能、１３ｃ…ブロック選択表示機能、１３ｄ…サブカウンタ表示機能、１４…遮断部、１４ａ…双方向遮断弁、１４ｂ…遮断弁開スイッチ、１５…端子台、１６…設定変更手段、１７…設定値格納手段、１８…マーク。
【図１】
2006017513.tif 000003
【図２】
2006017513.tif 000004
【図３】
2006017513.tif 000005
【図４】
2006017513.tif 000006
【図５】
2006017513.tif 000007
【図６】
2006017513.tif 000008
【図７】
2006017513.tif 000009